(57)【特許請求の範囲】
【請求項１】
ハンマーグラブ一端に設けられ、起重装置に吊り下げられたクラウンに係止するハンマーヘッドにおいて、
前記クラウンに係止する係合部、前記係合部を起点として一方向に延びる円筒部、及び前記円筒部の前記係合部とは反対側の一端に設けられ当該円筒部よりも径の大きなフランジ部を備え前記係合部及び円筒部は一体加工によって形成されたスライドブロックと、
前記円筒部の周囲に装着されたハンマーヘッド本体と
を備え、
前記ハンマーヘッド本体は、前記円筒部の径方向に２分割された一対の分割部によって構成されていることを特徴とするハンマーグラブのハンマーヘッド。
【請求項２】
請求項１記載のハンマーグラブのハンマーヘッドにおいて、前記分割部は互いの接合端面に形成された半径及び軸方向に延びて板状に形成された突出部を備え、前記突出部同士を当接させて接合されていることを特徴とするハンマーグラブのハンマーヘッド。
【請求項３】
請求項１記載のハンマーグラブのハンマーヘッドにおいて、前記フランジ部には、前記円筒部に装着するコイルバネを装着するために、前記フランジ部の周囲から中心軸に交差する方向に延びて両端を貫通する溝を備えていることを特徴とするハンマーグラブのハンマーヘッド。
【請求項４】
請求項１記載のハンマーグラブのハンマーヘッドにおいて、前記フランジ部は、固着部材によって前記円筒部の端部に固着されていることを特徴とするハンマーグラブのハンマーヘッド。
【請求項５】
請求項１乃至４の内のいずれか一つに記載のハンマーグラブのハンマーヘッドを備えていることを特徴とするハンマーグラブ装置。
【発明の詳細な説明】
【０００１】
【発明の属する技術分野】
本発明は，建設分野において，基礎杭を打ち込む穴を掘削するハンマーグラブ（基礎杭用堀削機）に関し，詳しくは，ハンマーグラブのヘッド部分に設けられクレーンからのチェーンに接続されるクラウンに係合可能に保持されるハンマーヘッドと、それを用いたハンマーグラブ装置に関する。
【０００２】
【従来の技術】
従来、ハンマーグラブをクレーンからのチェーンの先端に固定するためのクラウンが知られている。このハンマーグラブのクラウンは、クレーンから複数のチェーンにより地上から適宜高さに保持される。クラウンには、衝撃式掘削を行うようにクレーンによって昇降操作されるハンマーグラブを係脱可能に保持するように係止機構が具備されている。また、クラウンには、チェーンにより保持された支持部と、支持部にボルト等によって揺動自在に接続された保持部とを備えている。保持部はボディとその周囲に設けられたカラーとを備えている。係止機構は、保持部のボディにカラー側に突出して設けられ、ハンマーグラブのチェーンによって吊下げられたハンマーヘッドと係脱自在に係止する。
【０００３】
図９は従来技術によるハンマーグラブのチェーンとの接続部分を示す一部切欠き断面図である（実用新案登録第５７３５号公報、以下、従来技術と呼ぶ、参照）。図９を参照すると、従来技術によるハンマーグラブのクラウン５０は、両側を図示しないクレーンから吊下したチェーン６３ａ，６３ｂによって保持された支持部６１と、この支持部６１に揺動可能に支持されたクラウン本体６０とを備えている。
【０００４】
クラウン本体６０には、クランポール５３を介して上端部が保持されたハンマーヘッド７０が収容されている。
【０００５】
ハンマーヘッド７０内の下端寄りには、上方からクラウン本体６０を通って垂下したチェーン６３ｃが接続されるとともに、下端には、チェーン６３ｄを介して図示しないハンマーグラブ本体内に接続される取付部６５が設けられたジョイニングピース６４が設けられている。また、下端の突出部７７は、図示しないハンマーグラブ本体に連結される。
【０００６】
ジョイニングピース６４は、ハンマーヘッド７０の下端寄り内側に設けられたヘッドポール５５によって、係止される。
【０００７】
図１０は図９のハンマーヘッド７０を示す断面図である。また、図１１は図１０のハンマーヘッド７０の平面図である。図１０及び図１１に示すように、ハンマーヘッド７０は、スライドブロック７１とハンマーヘッド本体７２とを備えている。ハンマーヘッド本体７２は、下端まで延在する固定円筒部７３とこの周囲に固定された鍔部７４と、鍔部に固定され径方向に略三角形に突出した突出部７５とを備えている。固定円筒部７３の下端の突出部７７は、図示しないハンマーグラブ本体に連結される。また、鍔部７４及び固定円筒部７３の一側面は、開口部７４ｃ，７３ａが夫々設けられ、この開口部７３ａ，７４ｃを貫通してヘッドポール５５が設けられている。ヘッドポール５５は、ヘッドポールピン５６を介して、両端に設けられた突出部７５に支持される構成となっている。
【０００８】
このハンマーヘッド７０の上方からチェーン６３ｃに取り付けられたジョイニングピース６４と、その先端にチェーン６３ｄを介して設けられた取付部６５を挿入すると、これらのジョイニングピース６４と取付部６５は順にヘッドポール５５の先端部に突当たる。
【０００９】
しかしながら、これらのジョイニングピース６４と取付部６５の自重で、ヘッドポール５５が、図１０では、時計回りに回動して、これらのジョイニングピース６４と取付部６５とを通過させる。取付部６５がヘッドポール５５を通過した時点で、ヘッドポール５５を反時計回りに回動させ、チェーン６３ｃを上方に引き上げると、支持板６４の上面が、ヘッドポール５５の先端下部に追突して、反時計方向に回動するが、他端部が鍔部７４の上面に突当たり、それ以上は回動しないので、係止する。
【００１０】
【発明が解決しようとする課題】
前述したように、従来技術においては、クラウン本体６０と、ハンマーヘッド７０との係合は、クランポール５３と、スライドブロック７１の上端の係合部７１ａとによって行われているが、スライドブロック７１と、ハンマーヘッド本体７２とはネジ７１ｂによって固定されているために、このネジ７１ｂが外力や疲労によって緩んで抜けたり、折れたときに、ハンマーヘッド７０がチェーン６３ｃとともに落下してしまう。また、同様に回り止めピン７４ａも連続した外力や疲労によって緩んでぬけたり、折れたりすることがあった。このような場合に、特に、作業中にハンマーグラブが落下して作業続行が不可能になったり、落下の際にハンマーグラブ本体の周囲に危険を及ぼすおそれがあった。
【００１１】
また、このような場合に、ハンマーヘッド本体７２と、スライドブロック７１とを分離しなければならないが、その分解や組み立てが困難であり、取り替えの作業性が悪いという欠点を有した。
【００１２】
そこで、本発明の技術的課題は、ハンマーグラブの操作等による連続した衝撃等の外力の印加によっても、落下することがなく、また、組み立てや取替えが容易であるハンマーヘッドとそれを用いたハンマーグラブ装置とを提供することにある。
【００１３】
【課題を解決するための手段】
本発明によれば、ハンマーグラブ一端に設けられ、起重装置に吊り下げられたクラウンに係止するハンマーヘッドにおいて、前記クラウンに係止する係合部、前記係合部を起点として一方向に延びる円筒部、及び前記円筒部の前記係合部とは反対側の一端に設けられ当該円筒部よりも径の大きなフランジ部を備え前記係合部及び円筒部は一体加工によって形成されたスライドブロックと、前記円筒部の周囲に装着されたハンマーヘッド本体とを備え、前記ハンマーヘッド本体は、前記円筒部の径方向に２分割された一対の分割部によって構成されていることを特徴とするハンマーグラブのハンマーヘッドが得られる。
【００１４】
また、本発明によれば、前記ハンマーグラブのハンマーヘッドにおいて、前記分割部は互いの接合端面に形成された半径及び軸方向に延びて板状に形成された突出部を備え、前記突出部同士を当接させて接合されていることを特徴とするハンマーグラブのハンマーヘッドが得られる。
【００１５】
また、本発明によれば、前記ハンマーグラブのハンマーヘッドにおいて、前記フランジ部には、前記円筒部に装着するコイルバネを装着するために、前記フランジ部の周囲から中心軸に交差する方向に延びて両端を貫通する溝を備えていることを特徴とするハンマーグラブのハンマーヘッドが得られる。
【００１６】
また、本発明によれば、前記ハンマーグラブのハンマーヘッドにおいて、前記フランジ部は、固着部材によって前記円筒部の端部に固着されていることを特徴とするハンマーグラブのハンマーヘッドが得られる。
【００１７】
さらに、本発明によれば、前記いずれか一つのハンマーグラブのハンマーヘッドを備えていることを特徴とするハンマーグラブ装置が得られる。
【００１８】
【発明の実施の形態】
以下、本発明の実施の形態について図面を参照して説明する。
【００１９】
図１は本発明の第１の実施の形態によるハンマーグラブのチェーンとの接続部分を示す一部切欠き断面図である。図１においては、中心軸に関して左右略９０度異なる位置における図面を示している。図１を参照すると、ハンマーグラブのクラウン１０は、両側を図示しないクレーンから吊下したチェーン６３ａ，６３ｂによって保持された支持部６１と、この支持部６１に揺動可能に支持されたクラウン本体６０とを備えている。クラウン本体６０にクランポール５３を介して上端部が保持されたハンマーヘッド３０が設けられている。
【００２０】
クラウン本体６０は、支持部６１に、接続部材６２を介して揺動可能に支持された金属製のボディ５１とこれらの外側を覆う外殻を形成する金属製のカラー５２とを備えている。支持部６１は、両側を、図示しないクレーンから吊下されたチェーン６３ａ，６３ｂによって保持されている。このクラウン本体６０において、ボディ５１とカラー５２との間には、係止機構の係止片であるクランポール５３が配置され、このクランポール５３は、クランポールピン５４を中心軸として回動可能に設けられている。
【００２１】
ハンマーヘッド３０内の下端寄りには、上方からクラウン本体６０を通って垂下したチェーン６３ｃが接続されるとともに、下端には、チェーン６３ｄを介して図示しないハンマーグラブ本体内に接続される取付部６５が設けられたジョイニングピース６４が設けられている。また、下端のフランジ２３は、図示しないハンマーグラブ本体に連結される。
【００２２】
ジョイニングピース６４は、ハンマーヘッド３０の下端寄り内側に向かって突出した略台形のヘッドポール１によって、係止される。
【００２３】
図２は図１のハンマーヘッド３０の軸に沿って切断した縦断面図である。また、図３は図１のハンマーヘッド３０の軸に沿い、且つ図２とは直交する面で切断した縦断面図である。また、図４は図２及び図３に示すハンマーヘッド３０の平面図である。さらに、図５はハンマーヘッド３０のスライドブロック２０の斜視図である。また、図６はハンマーヘッド本体３１の分解組立斜視図である。
【００２４】
図２乃至図４に示すように、ハンマーヘッド３０は、略円筒形状のスライドブロック２０と、スライドブロック２０の下端寄りの周囲に設けられたハンマーヘッド本体３１とを備えている。
【００２５】
更に、図５をも参照して、スライドブロック２０は、外側に突出し、クランポール５３の先端部と係合する係合部２１ａを先端に備え、この係合部２１ａの先端よりも径が細く下端に延在する円筒部２１ｂと、下端に設けられたフランジ部２３とを備えている。係合部２１ａと円筒部２１ｂとは繋ぎ目のない一体形成されている。また、円筒部２１ｂとフランジ部２３とは、夫々に設けられたネジ部２１ｃ等によって結合されている。
【００２６】
更に、図６をも参照して、ハンマーヘッド本体３１は、中心軸を通る面を境に２分割可能な形状を備えている。ハンマーヘッドッド本体３１の各分割部３１ａ，３１ｂは、下端まで延在する固定円筒部３とこの周囲に固定された鍔部４と、鍔部４に固定され径方向に四角形に突出した板体からなる突出部５とを備えている。
【００２７】
また、鍔部４及び固定円筒部３の一側面は、開口部３ａ，３ａが夫々設けられ、この開口部３ａ，３ａを貫通してヘッドポール１が設けられている。
【００２８】
図３に示すように、ハンマーヘッド３０の下端寄りには、ジョイニングピース６４を係止する係止機構をなすヘッドポール１がヘッドポールピン２を中心軸として回転可能に設けられている。このヘッドポール１は、ヘッドポールピン２を介して、両端に設けられた突出部８に支持される構成となっている。
【００２９】
また、ハンマーヘッド本体３１の径方向に突出した縁部がやや肉厚となった鍔部４を備え，鍔部４の下端とフランジ部２３との間には、コイルバネ２８が装着されている。このフランジ部２３には、コイルバネ２８を一端から回転しながら挿入するためのコイルバネ２８の装着用の溝２３ｃ若しくは装着したコイルバネ２８の端部を止めるための溝２３ｃ（図５参照）を備えている。そして、このフランジ部２３は、図示しないハンマーグラブ本体に連結される。
【００３０】
また、スライドブロック２０の円筒部２１ｂの側面には、図５に最も良く示されるように、中心軸を中心にして１８０°回転した位置に互いに対向してクランクピン１が挿入される開口部２１ｅ，２１ｅが夫々設けられている。また、この開口部２１ｅ，２１ｅとは、軸周りに９０度為す位置に、回り止めピン６を挿入するための孔部２１ｄが設けられている。
【００３１】
したがって、ハンマーヘッドを組み立てるには、図５に示すスライドブロック２０の円筒部２１ｂの周囲に図６に示すハンマーヘッド本体３１の分割部を互いの突出部５を合わせるように、装着したのち、孔７を貫通してボルト１１及びナット１２によって固定するとともに、回り止めピン６をねじ孔３ｄにねじ込み固定すれば良い。尚、ハンマーヘッド本体３１の分割部の接合部分を溶接して固定しても良い。
【００３２】
次に、ハンマーグラブをチェーンと連結するには、図１に示すように、このハンマーヘッド３０の上方からチェーン６３ｃに取り付けられたジョイニングピース６４と、その先端にチェーン６３ｄを介して設けられた取付部７５を挿入すると、これらのジョイニングピース６４と取付部６５は順にヘッドポール１の先端部に突当たる。
【００３３】
しかしながら、これらのジョイニングピース６４と取付部６５の自重で、ヘッドポール１が、図１では、時計回りに回動して、これらのジョイニングピース６４と取付部６５とを通過させる。取付部６５がヘッドポール１を通過した時点で、ヘッドポール５５を反時計回りに回動させ、チェーン６３ｃを上方に引き上げると、支持板６４の上面が、ヘッドポール１の先端下部に追突して、反時計方向に回動するが、他端部が鍔部４の上面に突当たり、それ以上は回動しないので、係止して、ハンマーグラブは図示しないクレーンから操作可能な状態となる。
【００３４】
図７は本発明の第２の実施の形態によるハンマーヘッドのスライドブロックを示す斜視図である。また、図８は図７のスライドブロックの下端部を主に示す部分断面図である。本発明の第２の実施の形態のハンマーグラブ装置においては、ハンマーヘッドのスライドブロック２０以外は第１の実施の形態と同様な構成を有している。
【００３５】
図７を参照すると、本発明の第２の実施の形態によるスライドブロック２０は、外側に突出し、クランポール５３の先端部と係合する係合部２１ａを先端に備え、この係合部２１ａの先端よりも径が細く下端に延在する円筒部２１ｂと、下端に設けられたフランジ部２３とを備えている。係合部２１ａと円筒部２１ｂとは繋ぎ目のない一体形成されている。
図８を参照すると、フランジ部２３は、リング状の大径部２３ａと、これよりも径の小さく且つ円筒部２１ｂよりも径の大きな中径部２３ｂとを備えている。
【００３６】
中径部２３ｂは、円筒部２１ｂの一端に一体に形成されている。また、中径部２３ｂは、一端面から他端面に向かって軸方向に沿って設けられた複数のネジ孔２５ｃを備えている。
【００３７】
大径部２３ａの一端側には、軸方向に、ボルト頭部２６ｂが収容可能な大きな径の座孔２５ａと、この座孔２５ａに一端が通じ、他端は、大径部２３ａの内側端面を貫通するボルト２６のネジ部２６ａが貫通できる比較的径の小さなガイド孔２５ｂとを備えている。このガイド孔２５ｂと、ネジ孔２５ｃとは互いに対応する位置で、重なり合わさるように形成されている。なお、大径部２３ａの他端で、内部の貫通孔２３ｆの周囲には、軸方向に突出したボス部２７ａが設けられ、中径部２３ｂから円筒部２１ｂの内部に向かって軸方向に貫通した貫通孔２１ｆの開口付近は、このボス部２７ａを収容するように、径が大きな段部２７ｂを形成している。
【００３８】
このスライドブロック２０は、下端部分において、円筒部２１ｂ及び中径部２３ｂの周囲にバネ２８を装着して、大径部２３ａを、中径部２３ｂの一端に合わせて、ボルト２６によって固定し完成状態となる。
【００３９】
このように、本発明の第２の実施の形態においては、第１の実施の形態と同様な効果を有するとともに、さらに、バネ２８の装着の容易なスライドブロック２０を形成することができる。
【００４０】
このように、本発明の第１及び第２の実施の形態によるハンマーヘッド２０によれば、分割部３１ａ，３１ｂから組み立てるために、ハンマーヘッド本体の装着が容易であり、作業能率が高く、また、交換作業も容易である。
【００４１】
さらに、本発明の第１及び第２の実施の形態によるハンマーヘッド２０によれば、スライドブロックの先端の係合部と円筒部とが一体加工によって形成されているために、従来のようにねじによる接合の場合に、ねじの緩みや抜け落ち等によって落下して作業能率を悪くしていたが、本発明の実施の形態によれば、そのようなことはなく、安全で作業効率を高めることができる。
【００４２】
【発明の効果】
以上説明したように、本発明によれば、ハンマーグラブの操作等による連続した衝撃等の外力の印加によっても、落下することがなく、また、組み立てや取替えが容易であるハンマーヘッドとそれを用いたハンマーグラブ装置とを提供することができる。
【図面の簡単な説明】
【図１】  本発明の第１の実施の形態によるハンマーグラブのチェーンとの接続部分を示す一部切欠き断面図である。
【図２】  図１のハンマーヘッド３０の軸に沿って切断した縦断面図である。
【図３】  図１のハンマーヘッド３０の軸に沿い、且つ図２とは直交する面で切断した縦断面図である。
【図４】  図２及び図３に示すハンマーヘッド３０の平面図である。
【図５】  ハンマーヘッド３０のスライドブロック２０の斜視図である。
【図６】  ハンマーヘッド本体３１の分解組立図である。
【図７】  本発明の第２の実施の形態によるハンマーヘッドのスライドブロックを示す斜視図である。
【図８】  図７のスライドブロックの一部を示す部分断面図である。
【図９】  従来技術によるハンマーグラブのチェーンとの接続部分を示す一部切欠き断面図である。
【図１０】  図９のハンマーヘッド７０を示す断面図である。
【図１１】  図１０のハンマーヘッド７０の平面図である。
【符号の説明】
１    ヘッドポール
２    ヘッドポールピン
３    固定円筒部
３ａ    開口部
５    突出部
８    突出部
１０    クラウン
１１    ボルト
１２    ナット
２０    スライドブロック
２１ａ    係合部
２１ｂ    円筒部
２１ｄ    孔部
２１ｅ    開口部
２１ｆ    貫通孔
２３    フランジ部
２３ａ    大径部
２３ｂ    中径部
２３ｆ    貫通孔
２５ａ    座孔
２５ｂ    貫通孔
２６    ボルト
２６ａ    ネジ部
２６ｂ    頭部
３０    ハンマーヘッド
３１    ハンマーヘッド本体
３１ａ，３１ｂ    分割部
５０    クラウン
５１    ボディ
５２    カラー
５３    クランポール
５４    クランポールピン
５５    ヘッドポール
５６    ヘッドポールピン
６０    クラウン本体
６１    支持部
６２    接続部材
６３ａ，６３ｂ，６３ｃ，６３ｄ    チェーン
６４    ジョイニングピース
６５    取付部
７０    ハンマーヘッド
７１    スライドブロック
７１ａ    係合部
７１ｂ    ネジ
７２    ハンマーヘッド本体
７３    固定円筒部
７４    鍔部
７４ｃ    開口部
７５    突出部
７７    突出部
８１    ワイヤーロープ
８２    固定部材
８３    ガイド部
【図１】
0003884647.tif 000002
【図２】
0003884647.tif 000003
【図３】
0003884647.tif 000004
【図４】
0003884647.tif 000005
【図５】
0003884647.tif 000006
【図６】
0003884647.tif 000007
【図７】
0003884647.tif 000008
【図８】
0003884647.tif 000009
【図９】
0003884647.tif 000010
【図１０】
0003884647.tif 000011
【図１１】
0003884647.tif 000012